(57)【特許請求の範囲】
【請求項１】
断熱材と、この断熱材に接着された繊維強化セメント板からなる表面材と、この表面材の表面に貼付された表面保護フィルムとを備えた断熱パネルを用意し、
この断熱パネルを所望の大きさに切断して、断熱パネルの表面材が室内側を指向するように配置し、
この表面材の表面に貼付された表面保護フィルムと当接するように合板からなる室内側コンパネを配置すると共に、前記断熱材と所定間隔を保持して合板からなる室外側コンパネを配置し、
これらの室内側および室外側コンパネを、それらの外側に配置したコンパネ保持手段により保持させ、
前記断熱材と前記室外側コンパネとの間にコンクリートを打ち込み、
そのコンクリートが固化した後に、前記コンパネ保持手段、前記室内側および室外側コンパネを除去し、
前記表面保護フィルムを表面材から除去し、内断熱複合壁を得るところのコンクリート同時打ち込みによる内断熱複合壁の施工方法。
【請求項２】
前記表面保護フィルムが２５ｍｍ幅あたりで４〜８Ｎの接着力を有することを特徴とする請求項１に記載のコンクリート同時打ち込みによる内断熱複合壁の施工方法。
【発明の詳細な説明】
【０００１】
【発明の属する技術分野】
本発明は、コンクリート同時打ち込みによる内断熱複合壁の施工方法に関するものである。
【０００２】
【従来の技術】
従来、建築物において、コンクリートと、断熱材及び下地材からなる断熱パネルとから断熱複合壁を形成する工法として、特開２００１−１１９９２号公報に開示された、いわゆる同時打ち込み工法がある。かかる工法は、建築現場において間隔を保って配置された型枠と断熱パネルとの間にコンクリートを流し込み、コンクリート固化後に型枠を除去し、コンクリートと断熱パネルとからなる断熱複合壁を得るものである（特許文献１参照）。
【０００３】
また、上記公報に開示の工法においては、コンクリートの打込み時に、コンクリートの圧力によって断熱パネルが変形する恐れがあるため、一般的には、断熱パネルの外側に更に型枠としてのコンパネを配置する仕方が現場で行われている。図５に示すように、断熱パネル１は、繊維強化セメント板からなる表面材１ａと、断熱材１ｂとからなる複層パネルである。かかる断熱パネル１を、表面材１ａが室内（屋内）側に向くように配置する。そして、断熱パネル１の室外（屋外）側に、同パネル１の断熱材１ｂと所定の間隔をあけて、室外側型枠として合板からなるコンパネ３を配置し、断熱パネル１の表面材１ａの表面に、室内側型枠として合板からなるコンパネ５を当接させる。さらに、各コンパネ３，５の外側に、複数の縦ばた７及び横ばた９を格子状に建てこみ、複数のフォームタイ１１によって、それらのコンパネ３，５ならびに縦ばた７及び横ばた９を保持する。次に、室外側のコンパネ３と断熱パネル１の断熱材１ｂとの間にコンクリート１３を流し込み、コンクリート固化後、コンパネ３、５、縦ばた７及び横ばた９、ならびにフォームタイ１１を除去し、コンクリート１３と断熱パネル１とからなる内断熱複合壁を得ている（非特許文献１参照）。
【０００４】
【特許文献１】
特開２００１−１１９９２号公報（第２頁、第１図）
【非特許文献１】
株式会社エーアンドエーマテリアル刊行のカタログ「断熱型枠工法の施工手順
」、２００２年２月１版（表紙、及び第１〜５頁）
【０００５】
【発明が解決しようとする課題】
しかしながら、図５に示した既存の工法においては、断熱パネル１の切断加工を行うにあたって、工場でのプレカット時や建築現場での切断時に切断粉の飛散が生じる場合があった。また、コンパネ３，５は、コンクリート打設に伴う余剰水などを吸水し、コンパネ３，５内の可溶性成分がコンパネ外部へと溶出する場合があった。このとき、室内側のコンパネ５から溶出した可溶性成分が表面材１ａの室内側の表面に付着、染み込んで、表面材１ａの室内側の面を着色してしまうことがあるが、表面材１ａは、複合壁が完成して室内側のコンパネ５を除去した後に、室内側の仕上げ材として機能するため、上記の着色は美観上、意匠上、好ましくない問題である。なお、コンパネは建築・土木業界における現場用語であり、主として型枠等に使用する合板を意味している。
【０００６】
従って、本発明は、上述した問題に鑑みてなされたものであり、切断加工時の粉塵飛散を低減することができる複合パネルを用い、且つ、仕上げ材としての機能を好適に維持することが可能な、コンクリート同時打ち込みによる内断熱複合壁の施工方法を提供することを目的とする。
【０００７】
【課題を解決するための手段】
上述の目的を達成するため、本発明のコンクリート同時打ち込みによる内断熱複合壁の施工方法は、断熱材と、この断熱材に接着された繊維強化セメント板からなる表面材と、この表面材の表面に貼付された表面保護フィルムとを備えた断熱パネルを用意し、この断熱パネルを所望の大きさに切断して、断熱パネルの表面材が室内側を指向するように配置し、この表面材に貼付された表面保護フィルムと当接するように合板からなる室内側コンパネを配置すると共に、前記断熱材と所定間隔を保持して合板からなる室外側コンパネを配置し、これらの室内側および室外側コンパネを、それらの外側に配置したコンパネ保持手段により保持させ、前記断熱材と前記室外側コンパネとの間にコンクリートを打ち込み、そのコンクリートが固化した後に、前記コンパネ保持手段、前記室内側および室外側コンパネを除去し、前記表面保護フィルムを表面材から除去し、内断熱複合壁を得るものである。
【０００８】
好適には、前記表面保護フィルムは２５ｍｍ幅あたりで４〜８Ｎの接着力を有するものである。
【０００９】
【発明の実施の形態】
以下、この発明のコンクリート同時打ち込みによる内断熱複合壁の施工方法を、例えば、ＲＣ構造を備えた終末処理場などの公共事業建物に設けられる内断熱複合壁の形成に適用する場合について説明する。図１は、本発明の方法に使用する断熱パネルの縦断面である。断熱パネル２１は、断熱材２３を備えており、かかる断熱材２３の室内側表面には、接着層２５を介して表面材２７が貼り合わされている。この実施形態では、断熱材２３は、厚さ２０ｍｍ以上の発泡ポリエチレン系の材料または木毛板などの材料から構成されている。一方、表面材２７は、厚さ３〜１２ｍｍ、好適には６ｍｍの繊維強化セメント板より構成されている。
【００１０】
さらに、表面材２７の室内側表面には、厚さ２０〜８０μｍの表面保護フィルム２９がローラによる圧着により貼り付けられている。かかる厚さの選定は、例えば、厚さが８０μｍを超える場合には、ローラでの圧着が困難になり、厚さが２０μｍ未満の場合には、表面保護フィルム２９を表面材２７に貼り付けるときの作業性が悪化するのを防ぐためである。表面保護フィルム２９は、その室外側に設けられた粘着層３１と室内側に設けられた基材層３３とから成っている。基材層３３は、ポリエチレン系またはポリオレフィン系材料より構成される。一方、粘着層３１は、ゴム系またはアクリル系材料より構成される。そして、粘着層３１は、２５ｍｍ幅あたりで４〜８Ｎの接着力を有する。かかる接着力の測定は、図２に示される態様で行われる。まず、粘着層によって接着している基材層に、幅２５ｍｍ、長さ１００ｍｍとなるコ字状の切り欠きを設け、切り欠きにより捲りあげることが可能となった測定部分に、クリップを介してテンションゲージを接続する。そして、テンションゲージを約２００ｍｍ／分の速度で上方に引き上げ、安定したときのゲージ目盛りの値をもって接着力とする。
【００１１】
また、粘着層３１の接着力を上記の範囲に設定しているのは以下の点を考慮したものである。すなわち、粘着層３１の接着力が２５ｍｍ幅あたりで８Ｎを超える場合には、後述するように表面保護フィルム２９を表面材２７から剥がす際に、表面材２７の表層部まで一緒に剥がれることがあり、一方、粘着層３１の接着力が２５ｍｍ幅あたりで４Ｎ未満の場合には、表面保護フィルム２９と表面材２７との接着力が不十分であり、施工中に保護フィルムが表面から剥がれる恐れがあるからである。
【００１２】
次に、以上のように構成された断熱パネル２１を用いた、コンクリート同時打ち込みによる内断熱複合壁の施工方法を説明する。まず、図１のような構成を有する断熱パネル２１を、予め工場であるいは建築現場で必要な大きさに切断する。このとき、繊維強化セメント板からなる表面材が外部にむき出しであると、切断に際して切断粉が飛散する場合があるが、本発明の方法によれば、繊維強化セメント板からなる表面材２７が表面保護フィルム２９により覆われていることにより、切断時の切断粉の発生を大幅に減少させることができる。
【００１３】
次に、図３に示されるように、適当な大きさに切断された断熱パネル２１を、表面材２７の表面保護フィルム２９が室内側を指向するように配置し、その表面保護フィルム２９に当接するように、室内側コンパネ３５を配置する。また、断熱パネル２１の室外側には、断熱材２３の室外側表面と所定の間隔をあけて、室外側コンパネ３７を配置する。なお、かかる両コンパネ３５，３７は、既存のものと同様に合板からなる、木材製であるものとする。
【００１４】
さらに、室内側コンパネ３５の室内側表面および室外側コンパネ３７の室外側表面のそれぞれに、上下方向に延びる縦ばた３９を当接するように配置し、さらに縦ばた３９の外側に横方向に延びる横ばた４１を配置する。そして、これらのコンパネ３５，３７を断熱パネル２１に対して好適に保持するように、縦ばた３９及び横ばた４１およびフォームタイ４３をセットする。すなわち、縦ばた３９及び横ばた４１およびフォームタイ４３は、コンパネ３５，３７の保持手段である、この後、室外側コンパネ３７と断熱パネル２１との間に、コンクリート４５を流し込む。
【００１５】
そして、コンクリート４５が固化した後に、フォームタイ４３、横ばた４１、縦ばた３９及び両コンパネ３５，３７を除去することにより、図４に示されるように、室外側にコンクリート４５からなる外壁を備え、室内側に断熱材２３および表面材２７を備えた内断熱複合壁４７を得る。ところで、コンクリート打設時には、コンクリートからの余剰水や乾燥予防のために施された水などの水分を合板からなるコンパネ３５，３７が吸収し、コンパネ３５，３７内から可溶性成分が外部に溶出することがある。しかしながら、本発明の方法の場合には、室内側コンパネ３５と仕上げ材として機能する表面材２７との間に、表面保護フィルム２９が設けられているために、コンパネ３５から可溶性成分が溶出したとしても、かかる可溶性成分が表面材２７に付着し、表面材２７を着色することは防止されている。したがって、図４に示すように、施工の最後に、表面材２７の室内側表面を覆っている表面保護フィルム２９を剥がすことによって、室内側に美観的に好適な仕上げ面を備えた内断熱複合壁４７を得ることができる。
【００１６】
なお、前述したように、本発明に用いる表面保護フィルムの接着力は２５ｍｍ幅あたりで４〜８Ｎ（以下、「Ｎ／２５ｍｍ」と記述する）の範囲とするが、表面保護フィルムの接着力と施工上の不具合との関係を明らかにすべく、以下のような条件の施工を行った。
【００１７】
実施例１．
表面保護フィルムとして、接着力が８Ｎ／２５ｍｍである日立化成工業株式会社製のヒタレックス（登録商標）ＣＬ−５１５０Ｄ（厚さ６０μｍ）を使用し、表面材として、株式会社エーアンドエーマテリアル製のノンアスベスト繊維強化セメント板（厚さ６ｍｍ）を使用し、上記の方法で施工を行ったところ、施工中、表面保護フィルムの剥がれは全く無く、表面材への接着状態も良好に維持された。また、コンクリート打設後に表面保護フィルムを剥がす際に、表面材の表層部まで一緒に剥がれることも無かった。また、表面材の表面への着色も一切見られなかった。
【００１８】
実施例２．
表面保護フィルムとして、接着力が５Ｎ／２５ｍｍである株式会社スミロン製のＤＥ−５００Ｈ（厚さ４５μｍ）を使用し、表面材として、実施例１と同様の繊維強化セメント板を使用して、上記の方法で施工を行ったところ、実施例１と同様な結果が得られた。なお、作業性に関しては、実施例１よりも良好な傾向があった。
【００１９】
比較例１．
表面保護フィルムとして、接着力が３．９Ｎ／２５ｍｍである積水化学工業株式会社製のプロテクトテープ♯６３１８−Ｂ（厚さ６０μｍ）を使用し、表面材として、実施例１と同様のものを使用して、上記の方法で施工を行ったところ、表面材への接着は十分でなく、表面保護フィルムの一部は、表面材から剥離することがあった。また、コンクリート打設後、表面材の表面の一部に着色が確認された。
【００２０】
比較例２．
表面保護フィルム、表面材ともに、実施例１と同様のものであって、表面保護フィルムの接着力だけを８．２Ｎ／２５ｍｍに増加させ、上記の方法で施工を行ったところ、コンクリート打設後に表面保護フィルムを剥がす際に、表面材の繊維に毛羽立ちが生じ、表面材の表層部まで剥がれる傾向が見られた。
【００２１】
【発明の効果】
以上説明したように、本発明のコンクリート同時打ち込みによる内断熱複合壁の施工方法によれば、断熱パネルの切断加工時の粉塵飛散を大幅に低減させることができ、なお且つ、合板からなるコンパネを用いても、合板から溶出する可溶性成分の断熱パネルの表面材への着色を防止できるので、表面材に仕上げ材としての機能を充分に果たさせることが可能となる。
【図面の簡単な説明】
【図１】  本発明のコンクリート同時打ち込みによる内断熱複合壁の施工方法に用いる、断熱パネルの構成を示す縦断面図である。
【図２】  本発明の方法に用いられる表面保護フィルムの接着力の測定態様を説明する図である。
【図３】  本発明のコンクリート同時打ち込みによる内断熱複合壁の施工方法における、コンクリート打ち込み時の縦断面図である。
【図４】  本発明のコンクリート同時打ち込みによる内断熱複合壁の施工方法において、コンクリート打ち込み後、コンパネを除去し、さらに表面保護フィルムを除去する状態を示す縦断面図である。
【図５】  既存のコンクリート同時打ち込みによる内断熱複合壁の施工方法を示す斜視図である。
【符号の説明】
２１…断熱パネル、２３…断熱材、２７…表面材、２９…表面保護フィルム、３５…室内側コンパネ、３７…室外側コンパネ、３９…縦ばた（コンパネ保持手段）、４１…横ばた（コンパネ保持手段）、４３…フォームタイ（コンパネ保持手段）、４５…コンクリート、４７…内断熱複合壁。
【図１】
0003938533.tif 000002
【図２】
0003938533.tif 000003
【図３】
0003938533.tif 000004
【図４】
0003938533.tif 000005
【図５】
0003938533.tif 000006